(57)【要約】【課題】原稿へのアクセスを容易にすると共に、原稿を確実に回収することが可能な自動原稿送り装置を提供する。【解決手段】原稿を原稿読取部に自動給紙すると共に自動搬送して排出する自動原稿送り装置において、前記原稿の給紙方向と排紙方向との間に、水平方向にある一定の角度が設けられている。【選択図】図１
2007310056.tif 000002
【特許請求の範囲】
【請求項１】
原稿を給紙装置に自動給紙すると共に自動搬送して排出する自動原稿送り装置において、
前記原稿の給紙方向と排紙方向との間に、水平方向にある一定の角度が設けられていることを特徴とする自動原稿送り装置。
【請求項２】
読み取り前の前記原稿を前記給紙装置へ給送する給紙部が、読み取り後の前記原稿を排出する排紙部より下に配置されており、
フレームの上面に、該フレームの上面よりも下方で、排出された前記原稿を受け止める排紙原稿落下部を設けたことを特徴とする請求項１に記載の自動原稿送り装置。
【請求項３】
前記排紙原稿落下部が、前記フレームの上面に形成された凹部からなることを特徴とする請求項２に記載の自動原稿送り装置。
【請求項４】
読み取り前の前記原稿を前記給紙装置へ給送する給紙部が、読み取り後の前記原稿を排出する排紙部より上に配置されており、
前記給紙部に給紙トレイが連接して設置されていることを特徴とする請求項１に記載の自動原稿送り装置。
【発明の詳細な説明】
【技術分野】
【０００１】
この発明は、複写機、ファクシミリ等の画像形成装置に接続されるＡＤＦ（Auto Document Feeder）等の自動原稿送り装置に関するものである。
【背景技術】
【０００２】
自動原稿送り装置は、原稿を画像データとして取込むための読取動作をする際に、画像形成装置内の原稿読取部の位置を固定し、セットされた原稿を循環することにより画像データを取込むシートスルー型ＡＤＦが主流となっている。
このようなシートスルー型ＡＤＦとしては、フレームの上部に設けられた給紙トレイに載置された給紙原稿を給紙トレイの直下部に設けられた排紙トレイ上に排出する構成のものが知られている（例えば、特許文献１参照）。
【特許文献１】特開２００１−３１２１０５号公報
【発明の開示】
【発明が解決しようとする課題】
【０００３】
ところで、特許文献１に記載の自動原稿送り装置は、原稿を給紙トレイにセットする際の容易さを優先するため、給紙トレイを最上部に設け、排紙トレイが給紙トレイの直下に構成されており、更に排紙原稿へのアクセスを向上させるために給紙トレイの面積を小さくしたものである。その結果、排紙原稿へのアクセスは向上したものの、給紙トレイは依然として残存しており、給紙トレイの直下に配置された排紙トレイ上に排出された排紙原稿にアクセスするのは、給紙トレイが邪魔になるため容易ではなく、また、排紙原稿が見えづらいために作業終了後に排紙原稿を回収し忘れる事態等が発生する虞がある。
【０００４】
そこで、本発明は、上記事情を鑑みてなされたものであり、排紙原稿へのアクセスを容易にすると共に、排紙原稿を確実に回収することが可能な自動原稿送り装置を提供することを目的とする。
【課題を解決するための手段】
【０００５】
上記の課題を解決するために、請求項１に記載した発明は、原稿を給紙装置に自動給紙すると共に自動搬送して排出する自動原稿送り装置において、前記原稿の給紙方向と排紙方向との間に、水平方向にある一定の角度が設けられていることを特徴とする。
このように構成することで、給紙原稿と排紙原稿との向きが異なることとなり、排紙原稿の一部又は全部が給紙トレイ等と干渉しない位置に排出されると共に、給紙トレイ等の死角にならずに直接視認可能な範囲を拡大することができる。
【０００６】
請求項２に記載した発明は、読み取り前の前記原稿を前記給紙装置へ給送する給紙部が、読み取り後の前記原稿を排出する排紙部より下に配置されており、フレームの上面に、該フレームの上面よりも下方で、排出された前記原稿を受け止める排紙原稿落下部を設けたことを特徴とする。
このように構成することで、自動原稿送り装置の上部に設けていた給紙トレイが不要になると共に、排紙原稿の自重を排紙原稿落下部にかかるようにすることができる。
【０００７】
請求項３に記載した発明は、前記排紙原稿落下部が、前記フレームの上面に形成された凹部からなることを特徴とする。
このように構成することで、排紙原稿落下部が確実にフレーム上面よりも下方に形成されることとなる。
【０００８】
請求項４に記載した発明は、読み取り前の前記原稿を前記給紙装置へ給送する給紙部が、読み取り後の前記原稿を排出する排紙部より上に配置されており、前記給紙部に給紙トレイが連接して設置されていることを特徴とする。
このように構成することで、給紙原稿を給紙トレイへセットする際の給紙作業をこれまでと同様の手順で行うことができる。
【発明の効果】
【０００９】
請求項１に記載した発明によれば、給紙原稿と排紙原稿との向きが異なることとなり、排紙原稿の一部又は全部が給紙トレイ等と干渉しない位置に排出されると共に、給紙トレイ等の死角にならずに直接視認可能な範囲を拡大することができるため、排紙原稿へのアクセスを容易にすると共に、排紙原稿を確実に回収することができる効果がある。
【００１０】
請求項２に記載した発明によれば、自動原稿送り装置の上部に設けていた給紙トレイが不要となるために、排紙原稿の全部を自動原稿送り装置の各部品の死角にならずに視認することができる効果がある。また、排紙原稿の自重を排紙原稿落下部にかかるようにすることができるため、排紙原稿が排出された際に給紙原稿が残存していても排紙原稿の自重が給紙原稿にかからず、給紙動作をスムーズに継続することができる効果がある。
【００１１】
請求項３に記載した発明によれば、排紙原稿落下部が確実にフレーム上面よりも下方に形成されることとなるため、簡易な構成で確実に排紙原稿の自重を排紙原稿落下部にかかるようにすることができる効果がある。
【００１２】
請求項４に記載した発明によれば、給紙原稿を給紙トレイへセットする際の給紙作業をこれまでと同様の手順で行うことができるため、給紙作業の容易さを確保することができると共に、排紙原稿の視認可能な範囲を拡大することができ、結果として、排紙原稿へのアクセスを容易にすると共に、排紙原稿を確実に回収することができる効果がある。
【発明を実施するための最良の形態】
【００１３】
（第１実施形態）
次に、本発明の第１実施形態を図１〜図３に基づいて説明する。
図１、図２に示すように、複写機５０の画像形成装置１の上部に、図示しないヒンジ連結により開閉可能に自動原稿送り装置１０が設けられている。自動原稿送り装置１０は、
フレーム２と、フレーム２上部の一側に給紙装置３とを備えている。フレーム２は平面略四角形状に形成され、給紙装置３が設けられた側とは反対側が手前に拡幅されており、拡幅部Ｋが形成されている。
画像形成装置１は、画像読取部５４、操作部、図示しない制御部、データ記憶部、用紙収納部、印字部及びトナー部等を有し、画像読取部５４で読み取られた原稿画像を印字することや、画像データとしてコンピュータのディスプレイ等に出力することができるように構成されている。
【００１４】
給紙装置３の前壁下部には、給紙原稿１１が給送される開口部としての給紙部４が設けられ、給紙装置３の前壁上部には、読み取りが完了した排紙原稿１２が排出される開口部としての排紙部５が設けられている。ここで、給紙部４は複写機５０の奥行方向に平行に配置され、排紙部５は給紙部４に対して水平方向時計回りにある一定の角度θ１を持って配置されている。また、給紙装置３の上面には、カバー６が開閉可能に設けられている。
給紙装置３を除いたフレーム２の上面は、原稿トレイ７として給紙原稿１１及び排紙原稿１２共に載置可能に構成されている。原稿トレイ７には、給紙原稿１１の両側面を支持可能な一対の給紙原稿カーソル８が、給紙部４に平行して互いに接近離反するようにスライド可能に設けられている。また、フレーム２の拡幅部Ｋには、フレーム２の上面から下がった位置に一段低く凹部９が形成されている。この凹部９の上面に排紙保持カーソル１３が排出方向に沿ってスライド可能に設けられている。
【００１５】
次に、図３に示すように、給紙装置３の内部は、原稿トレイ７上に載置された給紙原稿１１の束の最上部から給紙原稿１１を送り出し可能な送出ローラ５１が、給紙部４と平行で、かつ給紙部４に臨むように設けられている。送出ローラ５１は、アーム５１ａによって待機位置と送出位置を移動することができる。送出ローラ５１は、通常は待機位置にあり、この待機位置から揺動するアーム５１ａによって送出位置に移動し、給紙原稿１１の最上面の原稿に当接可能に構成されている。送出ローラ５１の下流側には、給紙原稿１１を一枚ずつ給送すると共に、給紙原稿１１の先端の位置を調整するための一対の分離ローラ５１’が送出ローラ５１と軸方向平行に設けられている。分離ローラ５１’の下流側に、給紙原稿１１を一枚ずつ搬送させるための一対の給送ローラ５２が分離ローラ５１’と軸方向平行に設けられている。
【００１６】
密着ローラ５３は、給送ローラ５２の更に下流側で、給送ローラ５２と軸方向平行で、かつ画像形成装置１の上面の図示しないガラス面に接するように設けられている。密着ローラ５３の周囲には小径の補助ローラ５７、５８、５９が、密着ローラ５３の周面に当接され、かつ密着ローラ５３と軸方向平行に設けられている。
密着ローラ５３の直下部には、画像形成装置１の内部に設けられた原稿読取部５４が図示しないガラス面を介して対向した位置に配置されている。また、密着ローラ５３の下流側上方に給紙原稿１１を折り返して搬送するための排送ローラ５５が複数設けられている。ここで、排送ローラ５５の軸方向と密着ローラ５３の軸方向との間には、角度θ１が設定されている。排送ローラ５５の更に下流側に、給紙原稿１１を原稿トレイ７上に排出するための一対の排出ローラ５６が、排送ローラ５５と軸方向平行に設けられている。この排出ローラ５６は、排出部５と平行に配置され、かつ排出部５に臨むように設けられている。
【００１７】
次に、作用について説明する。
給紙原稿１１を自動原稿送り装置１０の原稿トレイ７上に原稿画像面を下にして、かつ給紙原稿１１の先端を給紙部４に接するように載置する。給紙原稿１１を適切な位置に載置した後、給紙原稿カーソル８をスライドさせ、給紙原稿１１の両側面を支持し、複数枚の給紙原稿１１が互いにずれないように整理する。その後、画像形成装置１に設けられたスタートボタン２３を押すと、送出ローラ５１が待機位置からアーム５１ａによって給紙原稿１１の最上面に当接する送出位置に移動する。その後、送出ローラ５１が回転することにより、給紙原稿１１が下流側の分離ローラ５１’へと送られる。分離ローラ５１’は、給紙原稿１１の摩擦力によって順次一枚ずつ給送すると共に、分離ローラ５１’に給紙原稿１１の先端が接することで、給紙原稿１１が画像形成装置１に対して平行になるように調整される。分離ローラ５１’が回転することで給紙原稿１１は下流側に搬送され、給送ローラ５２へと送られる。
【００１８】
給送ローラ５２が回転することで給紙原稿１１は更に搬送され、密着ローラ５３へと送られる。密着ローラ５３の下部に搬送された給紙原稿１１は、画像形成装置１の上面に設けられた図示しないガラス面と平行に密着し、画像形成装置１の画像読取部５４により原稿画像が読み取られる。画像読取作業は、画像読取部５４の位置が固定されており、密着ローラ５３が回転することで給紙原稿１１が移動し、順次原稿画像を読み取っていく。ここで、密着ローラ５３の周面に当接している補助ローラ５７、５８、５９は、給紙原稿１１を画像読取部５４に原稿を確実に読み取らせるために、給紙原稿１１を図示しないガラス面へ当接させる面積を確保すると共に、給紙原稿１１が画像読取部５４に対して平行になるように調整する。
【００１９】
ここで本実施形態では、給紙原稿１１が複数枚ある場合には最後面の原稿から給紙しているため、原稿読取部５４で読み取った画像データを一旦画像形成装置１に設けられた図示しないハードディスク又はメモリ等の記憶手段へ保存し、保存された画像データを、逆順に印字することや、ディスプレイ等に出力することができる。
【００２０】
読み取りが完了した給紙原稿１１は密着ローラ５３の形状に沿って、上方に搬送された後、排送ローラ５５に搬送される。排送ローラ５５において、下方から上昇してきた給紙原稿１１を折り返して排出ローラ５６へと搬送する。ここで、排送ローラ５５の軸方向は、密着ローラ５３の軸方向に対して角度θ１を設けて配置されているため、排送ローラ５５を通過する際に、給紙原稿１１の向きが角度θ１だけ変化する。排送ローラ５５を通過した給紙原稿１１は、排出ローラ５６へ搬送され、排出ローラ５６が回転することで排紙部５から排出され、排紙原稿１２として原稿トレイ７に載置することとなる。
排紙原稿１２は、給紙方向よりも角度θ１分だけ水平方向の向きが変化した状態で排出し、凹部９に設けた排紙保持カーソル１３に排紙原稿１２の先端の一部を支持された状態で載置する。給紙原稿１１が複数枚ある場合には、上述の動作を連続して繰り返す。
【００２１】
凹部９をフレーム２上面より段差を設けて一段低くすることで、排紙原稿１２が排出された際に給紙原稿１１が残存している場合において、排紙原稿１２の自重の大半が排紙保持カーソル１３及び凹部９にかかることとなる。その結果、給紙原稿１１には排紙原稿１２の自重の一部のみがかかることになり、給紙装置３への給紙作業をスムーズに継続することができる。
また、カバー６を開閉することで、給紙装置３内に設置されている各部品のメンテナンスが可能となっている。
【００２２】
上記実施形態によれば、排送ローラ５５及び排出ローラ５６の軸方向を他の送出ローラ５１，分離ローラ５１’、給送ローラ５２及び密着ローラ５３の軸方向に対して、水平方向に角度θ１を設けて配置することで、給紙原稿１１と排紙原稿１２との間には角度θ１が設けられることになる。このように構成することで、給紙原稿１１と排紙原稿１２とが同一の原稿トレイ７上に載置された状態でも混同することなく一見して見分けることが可能となる。また、給紙装置３の下方から給紙して上方から排出するために、上方から給紙して下方から排出する場合に設置される給紙トレイを設ける必要が無くなる。したがって、給紙トレイの下部に排紙原稿１２が排出されることも無くなり、排紙原稿１２を確実に視認することが可能となる。この結果、排紙原稿１２を回収する際に、フレーム２の手前側の凹部９に斜め方向に排出された排紙原稿１２にスムーズにアクセスすることができると共に、排紙原稿１２を確実に回収することができる。
【００２３】
（第２実施形態）
次に、本発明の第２実施形態を図３〜図５に基づいて説明する。
図４、図５に示すように、複写機５０の画像形成装置１の上部に、図示しないヒンジ連結により開閉可能に自動原稿送り装置２０が設けられている。ここで、自動原稿送り装置２０及び画像形成装置１の基本的な構成は、第１実施形態と同様であるので、同一部分に同一符号を付して説明を省略する。
【００２４】
ここで、給紙装置３の排紙部５及び給紙部４の構成は第１実施形態と異なっており、排紙部５は複写機５０の奥行方向に平行に配置されており、給紙部４は排紙部５に対して水平方向時計回りにある一定の角度θ２を持って配置されている。
これに対応し、フレーム２の拡幅部Ｋが設けられた側とは奥行方向反対側の位置に凹部２１が設けられている。この凹部２１の上面に排紙保持カーソル２２が排出方向に沿ってスライド可能に設けられている。また、給紙装置３の上面には、カバー６が設けられている。
【００２５】
次に、図３に示すように、給紙装置３の内部は、送出ローラ５１が給紙部４と平行で、かつ給紙部４に臨むように設けられている。送出ローラ５１は、アーム５１ａによって移動することができ、給紙原稿１１の最上面の原稿に当接可能に構成されている。送出ローラ５１の下流側には、一対の分離ローラ５１’が送出ローラ５１と軸方向平行に設けられている。分離ローラ５１’の下流側には、一対の給送ローラ５２が分離ローラ５１’と軸方向平行に設けられている。
【００２６】
密着ローラ５３は、給送ローラ５２の更に下流側で、画像形成装置１の上面の図示しないガラス面に接するように設けられている。ここで、密着ローラ５３の軸方向と給送ローラ５２の軸方向との間には、角度θ２が設定されている。密着ローラ５３の周囲には、補助ローラ５７，５８，５９が設けられている。
密着ローラ５３の直下部には、原稿読取部５４が配置されている。また、密着ローラ５３の下流側上方に一対の排送ローラ５５が軸方向平行に設けられている。排送ローラ５５の更に下流側に、一対の排出ローラ５６が排送ローラ５５と軸方向平行に設けられている。この排出ローラ５６は排出部５と平行に配置され、かつ排出部５に臨むように設けられている。
【００２７】
次に、作用について説明する。
ここで、第１実施形態と同様の作用については、同一部分に同一符号を付して説明を省略する。
給紙原稿１１を自動原稿送り装置２０の原稿トレイ７上に載置する。給紙原稿１１を給紙原稿カーソル８で整理した後、スタートボタン２３を押すと、送出ローラ５１がアーム５１ａによって送出位置に移動する。その後、送出ローラ５１が回転し、給紙原稿１１が分離ローラ５１’へと送られる。分離ローラ５１’により、給紙原稿１１が順次一枚ずつ給送され、更に下流側の給送ローラ５２へと送られる。
【００２８】
給送ローラ５２を経由して給紙原稿１１は更に搬送され、密着ローラ５３へと送られる。ここで、密着ローラ５３の軸方向は、給送ローラ５２の軸方向に対して角度θ２を設けて配置されているため、密着ローラ５３を通過する際に給紙原稿１１の向きが角度θ２だけ変化する。密着ローラ５３の下部に搬送された給紙原稿１１は、画像形成装置１の図示しないガラス面と平行に密着し、画像読取部５４により原稿画像が読み取られる。画像読取作業は、給紙原稿１１が移動しながら、順次原稿画像を読み取っていく。ここで、補助ローラ５７、５８、５９は、第１実施形態と同様の作用をしている。
【００２９】
ここで本実施形態では、給紙原稿１１が複数枚ある場合には最後面の原稿から給紙しているため、第１実施形態と同様、逆順に印字することや、ディスプレイ等に出力することができる。
【００３０】
読み取りが完了した給紙原稿１１は密着ローラ５３の形状に沿って搬送され、排送ローラ５５に搬送される。排送ローラ５５を通過した給紙原稿１１は、排出ローラ５６へ搬送され、排出ローラ５６が回転することで排紙部５から排出され、排紙原稿１２として原稿トレイ７上に載置することとなる。
排紙原稿１２は、給紙方向よりも角度θ２分だけ水平方向の向きが変化した状態で、複写機５０の幅方向に略平行に排出し、フレーム２の凹部２１に設けた排紙保持カーソル２２に排紙原稿１２の先端の一部を支持された状態で載置する。給紙原稿１１が複数枚ある場合には、上述の動作を連続して繰り返す。
【００３１】
凹部２１をフレーム２上面より段差を設けて一段低くすることで、排紙原稿１２が排出された際に給紙原稿１１が残存している場合において、排紙原稿１２の自重の大半が排紙保持カーソル２２及び凹部２１にかかることとなる。その結果、給紙原稿１１には排紙原稿１２の自重の一部のみがかかることになり、給紙装置３への給紙作業をスムーズに継続することができる。
また、カバー６により、給紙装置３内のメンテナンスが可能となっている
【００３２】
上記実施形態によれば、送出ローラ５１、分離ローラ５１’及び給送ローラ５２の軸方向を他の密着ローラ５３、排送ローラ５５及び排出ローラ５６の軸方向に対して、水平方向に角度θ２を設けて配置することで、給紙原稿１１と排紙原稿１２との間に角度θ２が設けられることになる。このように構成することで、給紙原稿１１と排出原稿１２とが同一の原稿トレイ７上に載置された状態でも混同することなく一見して見分けることが可能となる。また、給紙装置３の下方から給紙して上方から排出するために、上方から給紙して下方から排出する場合に設置される給紙トレイを設ける必要が無くなる。したがって、給紙トレイの下部に排紙原稿１２が排出されることも無くなり、排紙原稿１２を確実に視認することが可能となる。この結果、排紙原稿１２を回収する際に、フレーム２の凹部２１にフレーム２の幅方向に略平行する方向に排出された排紙原稿１２にスムーズにアクセスすることができると共に、排紙原稿１２を確実に回収することができる。
【００３３】
（第３実施形態）
次に、本発明の第３実施形態を図６〜図８に基づいて説明する。
図６、図７に示すように、複写機６０の画像形成装置１の上部に、図示しないヒンジ連結により開閉可能に自動原稿送り装置３０が設けられている。ここで、自動原稿送り装置３０及び画像形成装置１の基本的な構成は、第１実施形態と同様であるので、同一部分に同一符号を付して説明を省略する。
【００３４】
ここで、給紙装置３の給紙部４及び排紙部５の構成は第１実施形態と異なっており、給紙装置３の前壁上部には給紙部４が設けられ、給紙装置３の前壁下部には排紙部５が設けられている。また、給紙部４は複写機６０の奥行方向に平行に配置され、排紙部５は給紙部４に対して水平方向時計回りにある一定の角度θ３を持って配置されている。また、給紙装置３の上面には、カバー６が設けられている。更に、給紙部４に給紙トレイ３１が連接され、着脱可能に取り付けられている。給紙トレイ３１の上面には、一対の給紙原稿カーソル８が設けられている。
給紙装置３を除いたフレーム２の上面は、排紙原稿１２が載置される排紙トレイ３２として構成されている。また、排紙保持カーソル３３が、排紙トレイ３２の端部に、排出方向に沿ってスライド可能に設けられている。
【００３５】
次に、図８に示すように、給紙装置３の内部は、給紙トレイ３１上に載置された給紙原稿１１を送り出し可能な送出ローラ５１が、給紙部４と平行で、かつ給紙部４に臨むように設けられている。送出ローラ５１は、アーム５１ａによって移動することができ、給紙原稿１１の最上面の原稿に当接可能に構成されている。送出ローラ５１の下流側には、一対の分離ローラ５１’が送出ローラ５１と軸方向平行に設けられている。分離ローラ５１’の下流側に、給紙原稿１１を折り返して密着ローラ５３へ搬送するための給送ローラ５２が分離ローラ５１’と軸方向平行に複数設けられている。
【００３６】
密着ローラ５３は、給送ローラ５２の更に下流側で、給送ローラ５２と軸方向平行で、かつ画像形成装置１の図示しないガラス面に接するように設けられている。密着ローラ５３の周囲には補助ローラ５７，５８，５９が設けられている。
密着ローラ５３の直下部には、原稿読取部５４が配置されている。また、密着ローラ５３の下流側に一対の排送ローラ５５が設けられている。ここで、排送ローラ５５の軸方向と密着ローラ５３の軸方向との間には、角度θ３が設定されている。排送ローラ５５の更に下流側に、一対の排出ローラ５６が、排送ローラ５５と軸方向平行に設けられている。この排出ローラ５６は排出部５と平行に配置され、かつ排出部５に臨むように設けられている。
【００３７】
次に、作用について説明する。
ここで、第１実施形態と同様の作用については、同一部分に同一符号を付して説明を省略する。
給紙原稿１１を自動原稿送り装置３０の給紙トレイ３１上に原稿画像面を上にして載置する。給紙原稿１１を給紙原稿カーソル８で整理した後、スタートボタン２３を押すと、送出ローラ５１がアーム５１ａによって送出位置に移動する。その後、送出ローラ５１が回転し、給紙原稿１１が分離ローラ５１’へと送られる。分離ローラ５１’により、給紙原稿１１が順次一枚ずつ給送され、更に下流側の給送ローラ５２へと送られる。
【００３８】
給送ローラ５２を経由して給紙原稿１１は更に搬送され、密着ローラ５３へと送られる。給紙原稿１１は、密着ローラ５３の形状に沿って下方に搬送され、密着ローラ５３下部へと送られる。密着ローラ５３の下部に搬送された給紙原稿１１は、画像形成装置１の図示しないガラス面と平行に密着し、画像読取部５４により原稿画像が読み取られる。画像読取作業は、給紙原稿１１が移動しながら、順次原稿画像を読み取っていく。ここで、補助ローラ５７、５８、５９は、第１実施形態と同様の作用をしている。
【００３９】
読み取りが完了した給紙原稿１１は、更に下流側の排送ローラ５５に搬送される。ここで、排送ローラ５５の軸方向は、密着ローラ５３の軸方向に対して角度θ３を設けて配置されているため、排送ローラ５５を通過する際に給紙原稿１１の向きが角度θ３だけ変化する。排送ローラ５５を通過した給紙原稿１１は、排出ローラ５６へ搬送され、排出ローラ５６が回転することで排紙部５から排出され、排紙原稿１２として排紙トレイ３２に載置することとなる。
排紙原稿１２は、給紙方向よりも角度θ３分だけ水平方向の向きが変化した状態で排出し、排紙トレイ３２に設けた排紙保持カーソル３３に排紙原稿１２の先端の一部を支持された状態で載置する。給紙原稿１１が複数枚ある場合には、上述の動作を連続して繰り返す。
また、カバー６により、給紙装置３内のメンテナンスが可能となっている。
【００４０】
上記実施形態によれば、給紙作業は給紙トレイ３１が設けられているため、これまでと同様の手順で給紙原稿をセットすることができる。また、排送ローラ５５及び排出ローラ５６の軸方向を他の送出ローラ５１、分離ローラ５１’、給送ローラ５２及び密着ローラ５３の軸方向に対して、水平方向に角度θ３を設けて配置することで、給紙原稿１１と排紙原稿１２との間に角度θ３が設けられることになる。このように構成することで、排紙原稿１２が給紙トレイ３１の直下部に排出されずに、給紙トレイ３１直下部から排紙原稿１２が一部又は全部がずれた位置に排出される。この結果、排紙原稿１２を回収する際に、給紙トレイ３１の下部に手を突っ込むようにする必要がなくなり、フレーム２の手前側に設けた排紙トレイ３２に排出された排紙原稿１２にスムーズにアクセスすることができる。また、排紙原稿１２の一部又は全部が、給紙トレイ３１の直下部からずれた位置で視認できるため、排紙原稿１２を確実に回収することができる。
【００４１】
（第４実施形態）
次に、本発明の第４実施形態を図８〜図１０に基づいて説明する。
図９、図１０に示すように、複写機６０の画像形成装置１の上部に、図示しないヒンジ連結により開閉可能に自動原稿送り装置４０が設けられている。ここで、自動原稿送り装置４０及び画像形成装置１の基本的な構成は、第１実施形態と同様であるので、同一部分に同一符号を付して説明を省略する。なお、本実施形態においては、拡幅部Ｋは形成されていない。
【００４２】
ここで、給紙装置３の給紙部４及び排紙部５の構成は第１実施形態と異なっており、給紙装置３の前壁上部には給紙部４が設けられ、給紙装置３の前壁下部には排紙部５が設けられている。また、排紙部５は複写機６０の奥行方向に平行に配置され、給紙部４は排紙部５に対して水平方向反時計回りにある一定の角度θ４を持って配置されている。また、給紙装置３の上面には、カバー６が設けられている。更に、給紙装置３の給紙部４に給紙トレイ３１が取り付けられている。給紙トレイ３１の上面には、一対の給紙原稿カーソル８が設けられている。
給紙装置３を除いたフレーム２の上面は、排紙トレイ３２として構成されている。また、排紙保持カーソル３４が、排紙トレイ３２の端部に設けられている
【００４３】
次に、図８に示すように、給紙装置３の内部は、給紙トレイ３１上に載置された給紙原稿１１を送り出し可能な送出ローラ５１が、給紙部４と平行で、かつ給紙部４に臨むように設けられている。送出ローラ５１は、アーム５１ａによって移動することができ、給紙原稿１１の最上面の原稿に当接可能に構成されている。送出ローラ５１の下流側には、一対の分離ローラ５１’が送出ローラ５１と軸方向平行に設けられている。分離ローラ５１’の下流側に、給紙原稿１１を折り返して密着ローラ５３へ搬送するための一対の給送ローラ５２が分離ローラ５１’と軸方向平行に複数設けられている。
【００４４】
密着ローラ５３は、給送ローラ５２の更に下流側で、画像形成装置１の上面の図示しないガラス面に接するように設けられている。ここで、密着ローラ５３の軸方向と給送ローラ５２の軸方向との間には、角度θ４が設定されている。密着ローラ５３の周囲には補助ローラ５７，５８，５９が設けられている。
密着ローラ５３の直下部には、原稿読取部５４が配置されている。また、密着ローラ５３の下流側に一対の排送ローラ５５が設けられている。排送ローラ５５の更に下流側に、一対の排出ローラ５６が、排送ローラ５５と軸方向平行に設けられている。この排出ローラ５６は排出部５と平行に配置され、かつ排出部５に臨むように設けられている。
【００４５】
次に、作用について説明する。
ここで、第１実施形態と同様の作用については、同一部分に同一符号を付して説明を省略する。
給紙原稿１１を自動原稿送り装置４０の給紙トレイ３１上に原稿画像面を上にして載置する。給紙原稿１１を給紙原稿カーソル８で整理した後、スタートボタン２３を押すと、送出ローラ５１がアーム５１ａによって送出位置に移動する。その後、送出ローラ５１が回転し、給紙原稿１１が分離ローラ５１’へと送られる。分離ローラ５１’により、給紙原稿１１が順次一枚ずつ給送され、更に下流側の給送ローラ５２へと送られる。
【００４６】
給送ローラ５２を経由して給紙原稿１１は更に搬送され、密着ローラ５３へと送られる。ここで、密着ローラ５３の軸方向は、給送ローラ５２の軸方向に対して角度θ４を設けて配置されているため、密着ローラ５３を通過する際に給紙原稿１１の向きが角度θ４だけ変化する。密着ローラ５３の下部に搬送された給紙原稿１１は、画像形成装置１の図示しないガラス面と平行に密着し、画像読取部５４により原稿画像が読み取られる。画像読取作業は、給紙原稿１１が移動しながら、順次原稿画像を読み取っていく。ここで、補助ローラ５７、５８、５９は、第１実施形態と同様の作用をしている。
【００４７】
読み取りが完了した給紙原稿１１は、更に下流側の排送ローラ５５に搬送される。排送ローラ５５を通過した給紙原稿１１は、排出ローラ５６へ搬送され、排出ローラ５６が回転することで排紙部５から排出され、排紙原稿１２として排紙トレイ３２に載置することとなる。
排紙原稿１２は、給紙方向よりも角度θ４分だけ水平方向の向きが変化した状態で、複写機６０の幅方向に略平行に排出し、排紙トレイ３２に設けた排紙保持カーソル３４に排紙原稿１２の先端の一部を支持された状態で載置する。給紙原稿１１が複数枚ある場合には、上述の動作を連続して繰り返す。
また、カバー６により、給紙装置３内のメンテナンスが可能となっている。
【００４８】
上記実施形態によれば、給紙作業は給紙トレイ３１が設けられているため、これまでと同様の手順で給紙原稿をセットすることができる。また、送出ローラ５１、分離ローラ５１’及び給送ローラ５２の軸方向を他の密着ローラ５３、排送ローラ５５及び排出ローラ５６の軸方向に対して、水平方向に角度θ４を設けて配置することで、給紙原稿１１と排紙原稿１２との間に角度θ４が設けられることになる。このように構成することで、排紙原稿１２が給紙トレイ３１の直下部に排出されずに、給紙トレイ３１直下部から排紙原稿１２が一部又は全部がずれた位置に排出される。この結果、排紙原稿１２を回収する際に、給紙トレイ３１の下部に手を突っ込むようにする必要がなくなり、排紙トレイ３２に排出された排紙原稿１２にスムーズにアクセスすることができる。また、排紙原稿１２の一部又は全部が、給紙トレイ３１の下部からずれた位置で視認できるため、排紙原稿１２を確実に回収することができる。
【００４９】
尚、この発明は上述した実施の形態に限られるものではなく、例えば以下のような態様も採用可能である。
第１実施形態及び第２実施形態において、給紙原稿カーソルの位置を給紙原稿と排紙原稿とが平面的に重なる位置に設け、給紙原稿と排紙原稿とを分離するために給紙原稿カーソルを利用しても良い。
第２実施形態では、下部から給紙して上部から排紙する場合には、フレームの最上部にトレイを設けずに排紙する説明をしたが、フレームの最上部に排紙トレイを設けてもよい。
第４実施形態において、排紙原稿を複写機の幅方向と平行に排出するようにしているが、角度θ４を更に大きくし、フレームに拡幅部Ｋを設け、第１実施形態と略同じ方向に排出するようにしても良い。
【図面の簡単な説明】
【００５０】
【図１】本発明の第１実施形態における複写機の部分斜視図である。
【図２】本発明の第１実施形態における自動原稿送り装置の上面図である。
【図３】図２のＡ−Ａ線に沿う断面図である。
【図４】本発明の第２実施形態における複写機の部分斜視図である。
【図５】本発明の第２実施形態における自動原稿送り装置の上面図である。
【図６】本発明の第３実施形態における複写機の部分斜視図である。
【図７】本発明の第３実施形態における自動原稿送り装置の上面図である。
【図８】図７のＢ−Ｂ線に沿う断面図である。
【図９】本発明の第４実施形態における複写機の部分斜視図である。
【図１０】本発明の第４実施形態における自動原稿送り装置の上面図である。
【符号の説明】
【００５１】
２  フレーム  ３  給紙装置  ４  給紙部  ５  排紙部  ９、２１  凹部（排紙原稿落下部）  １１  給紙原稿（原稿）  １２  排紙原稿（原稿）  ３１  給紙トレイ  ５４原稿読取部  １０、２０、３０、４０  自動原稿送り装置  θ１、θ２、θ３、θ４  角度
【図１】
2007310056.tif 000003
【図２】
2007310056.tif 000004
【図３】
2007310056.tif 000005
【図４】
2007310056.tif 000006
【図５】
2007310056.tif 000007
【図６】
2007310056.tif 000008
【図７】
2007310056.tif 000009
【図８】
2007310056.tif 000010
【図９】
2007310056.tif 000011
【図１０】
2007310056.tif 000012